(57)【要約】【課題】取り付けパネルの音響的な欠点を補うことで、容易に適切な音響特性を得ることができるスピーカ装置を提供すること等を目的とする。【解決手段】フレーム１の所定部位にフレーム１の他の部分よりもコンプライアンスの大きな高コンプライアンス部１Ａを設ける。高コンプライアンス部１Ａの変形に伴って振動する部分の有効質量と、高コンプライアンス部１Ａのコンプライアンスと、により定まる共振周波数は、スピーカユニット１０が取り付けパネル２０に取り付けられた状態で振動板６の振動の反作用がフレーム１を伝播することによって振動板６以外の部分が振動する振動のうち、５０Ｈｚから３０００Ｈｚの間で最も大きな振動加速度を呈する周波数に設定されている。【選択図】      図１
2004165819.tif 000002
【特許請求の範囲】
【請求項１】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することによって前記振動系以外の部分が振動する振動のうち、５０Ｈｚから３０００Ｈｚの間で最も大きな振動加速度を呈する周波数に設定されていることを特徴とするスピーカ装置。
【請求項２】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することによって前記振動系以外の部分が振動する振動のうち、５０Ｈｚから３０００Ｈｚの間で最も大きな振動加速度を呈する周波数を中心とする上下１オクターブの範囲内に設定されていることを特徴とするスピーカ装置。
【請求項３】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で最も大きな振動加速度を呈する周波数に設定されていることを特徴とするスピーカ装置。
【請求項４】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で最も大きな振動加速度を呈する周波数を中心とする上下１オクターブの範囲内に設定されていることを特徴とするスピーカ装置。
【請求項５】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することによって前記振動系以外の部分が振動する振動のうち、５０Ｈｚから３０００Ｈｚの間で音質上減衰させるべき周波数に設定されていることを特徴とするスピーカ装置。
【請求項６】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することによって前記振動系以外の部分が振動する振動のうち、５０Ｈｚから３０００Ｈｚの間で音質上減衰させるべき周波数を中心とする上下１オクターブの範囲内に設定されていることを特徴とするスピーカ装置。
【請求項７】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で音質上減衰させるべき周波数に設定されていることを特徴とするスピーカ装置。
【請求項８】
振動系と、前記振動系を振動可能に支持するフレームと、を具備するスピーカユニットを備え、
前記フレームを介して前記スピーカユニットが取り付けパネルに取り付けられたスピーカ装置であって、
前記フレームまたは前記取り付けパネルの所定部位には前記フレームまたは前記取り付けパネルの他の部分よりもコンプライアンスの大きな高コンプライアンス部が設けられ、
前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で音質上減衰させるべき周波数を中心とする上下１オクターブの範囲内に設定されていることを特徴とするスピーカ装置。
【請求項９】
前記高コンプライアンス部は前記取り付けパネルに形成され、前記高コンプライアンス部は前記取り付けパネルの他の部分と異なる材質で構成されていることを特徴とする請求項１〜８のいずれか１項に記載のスピーカ装置。
【請求項１０】
前記高コンプライアンス部は前記フレームまたは前記取り付けパネルよりも損失正接の大きな材料でダンピングされていることを特徴とする請求項１〜９のいずれか１項に記載のスピーカ装置。
【発明の詳細な説明】
【０００１】
【発明の属する技術分野】
本発明は、スピーカユニットを取り付けパネルに取り付けて構成されたスピーカ装置に関する。
【０００２】
【従来の技術】
通常、スピーカ装置はスピーカユニットをスピーカボックス等に取り付けて構成される。この場合には、スピーカボックス等の構造や材質に対して、スピーカ装置の音響特性を考慮した設計を施すことができる。
【０００３】
【発明が解決しようとする課題】
しかし、例えば、車載用オーディオシステムでは、車両の構成部材を取り付けパネルとして用いるため、その構造や材質を自由に選択することができず、例えば、音響的に考慮された充分な強度を取り付けパネルに付与できない場合などがある。このため、スピーカユニットの振動系以外の部分が振動し、このような振動に基づく不要な音響が付加されるおそれがある。
【０００４】
本発明は、取り付けパネルの音響的な欠点を補うことで、容易に適切な音響特性を得ることができるスピーカ装置を提供すること等を目的とする。
【０００５】
【課題を解決するための手段】
請求項１に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することにより前記振動系以外の部分が振動する振動のうち、５０Ｈｚから３０００Ｈｚの間で最も大きな振動加速度を呈する周波数に設定されていることを特徴とする。
【０００６】
請求項２に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することにより前記振動系以外の部分が振動する振動のうち、５０Ｈｚから３０００Ｈｚの間で最も大きな振動加速度を呈する周波数を中心とする上下１オクターブの範囲内に設定されていることを特徴とする。
【０００７】
請求項３に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で最も大きな振動加速度を呈する周波数に設定されていることを特徴とする。
【０００８】
請求項４に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で最も大きな振動加速度を呈する周波数を中心とする上下１オクターブの範囲内に設定されていることを特徴とする。
【０００９】
請求項５に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することにより前記振動系以外の部分が振動する振動のうち、５０Ｈｚから３０００Ｈｚの間で音質上減衰させるべき周波数に設定されていることを特徴とする。
【００１０】
請求項６に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系の振動の反作用が構造体を伝播することにより前記振動系以外の部分が振動する振動のうち、５０Ｈｚから３０００Ｈｚの間で音質上減衰させるべき周波数を中心とする上下１オクターブの範囲内に設定されていることを特徴とする。
【００１１】
請求項７に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で音質上減衰させるべき周波数に設定されていることを特徴とする。
【００１２】
請求項８に記載のスピーカ装置は、振動系と、前記振動系を振動可能に支持するフレームと、を具備するスピーカユニットを備え、前記フレームを介して前記スピーカユニットが取り付けパネルに取り付けられたスピーカ装置であって、前記フレームまたは前記取り付けパネルの所定部位には前記フレームまたは前記取り付けパネルの他の部分よりもコンプライアンスの大きな高コンプライアンス部が設けられ、前記高コンプライアンス部の変形に伴って振動する部分の有効質量と、前記高コンプライアンス部のコンプライアンスと、により定まる共振周波数は、前記スピーカユニットが前記取り付けパネルに取り付けられた状態で前記振動系から放射された音圧によって前記振動系以外の部分が振動する振動のうち、５０Ｈｚから３０００Ｈｚの間で音質上減衰させるべき周波数を中心とする上下１オクターブの範囲内に設定されていることを特徴とする。
【００１３】
【発明の実施の形態】
−第１の実施形態−
以下、図１〜図４を参照して、本発明によるスピーカ装置を車載用スピーカ装置に適用した第１の実施形態について説明する。図１は第１の実施形態のスピーカ装置を示す断面図である。
【００１４】
図１に示すように、第１の実施形態のスピーカ装置１００を構成するダイナミック型スピーカユニット１０は、外周部において取り付けパネル２０に締結されたフレーム１と、フレーム１に取り付けられた磁気回路２と、磁気回路２の磁気ギャップ内に収容されたボイスコイル３と、ボイスコイル３とフレーム１との間に設けられ、ボイスコイル３を振動可能に支持するダンパー５と、ボイスコイル３に接続された振動板６と、振動板６の外周部とフレーム１との間に設けられ、振動板６を振動可能に支持するエッジ７とを備える。
【００１５】
図１に示すように、磁気回路２はリング状の磁石２ａを備え、外磁型の磁気回路を構成している。ボイスコイル３の巻線３ａに電流を流すことにより、振動板６を含む振動系を図１において左右方向に振動させて音響出力を発生させることができる。
【００１６】
図１に示すように、フレーム１には湾曲形状に形成された高コンプライアンス部１Ａが設けられている。高コンプライアンス部１Ａはフレーム１の外周に沿って周状に形成されている。高コンプライアンス部１Ａはフレーム１の他の部分と比較してコンプライアンスが大きくされており、変形可能に構成されている。スピーカユニット１０は高コンプライアンス部１Ａの変形に伴い、図１において高コンプライアンス部１Ａよりも右側の部分が振動可能とされている。この振動の共振周波数は、高コンプライアンス部１Ａの変形に伴って振動する部分の有効質量と、高コンプライアンス部１Ａのコンプライアンスと、により定まる。本実施形態では、この共振周波数を適切に設定することにより、スピーカ装置１００の音響特性を向上させている。
【００１７】
取り付けパネル２０は車両のドアを構成する部材であり、とくに音響的な性能を考慮して設計されたものではなく、取り付けパネル２０は比較的振動しやすい。このため本実施形態では、フレーム１に高コンプライアンス部１Ａを設けることにより、取り付けパネル２０等の振動を抑制し、スピーカ装置１００全体として良好な音響特性を得るようにしている。
【００１８】
図２〜図４には、高コンプライアンス部１Ａを設けない場合における取り付けパネル２０の振動加速度レベルが示されている。図２は取り付けパネル２０を示す図、図３は図２に示すＡ点における取り付けパネル表面の振動加速度レベルを示す図、図４は図２に示すＢ点における取り付けパネル表面の振動加速度レベルを示す図である。
【００１９】
図３および図４は、取り付けパネル２０に通常のスピーカユニット（高コンプライアンス部が設けられていないスピーカユニット）を取り付けた状態で、加速度ピックアップをＡ点あるいはＢ点に取り付け、Ａ点およびＢ点の振動加速度レベルを測定した結果をそれぞれ示している。このような振動特性は、スピーカユニット１０の振動板６から放射されて空気を伝わった音圧により取り付けパネル２０を振動させるものと、振動板６の振動の反作用が磁気回路２に発生し、これがフレーム１を介して取り付けパネル２０に伝播したものとの両者が合成されたものと考えられる。
【００２０】
図３および図４に示すように、取り付けパネル２０表面は、広い周波数帯域にわたって振動し、振動加速度レベルは１ｋＨｚ前後で最大値をとる特性を示している。なお、振動加速度レベルは音圧に対応する（比例する）パラメータであるが、車両にドアを取り付けたときの車内の音圧レベルとしては、図３および図４に示す特性よりも低域のレベルが上昇した特性を示す。
【００２１】
本実施形態では、コンプライアンス部１Ａを設けることにより、このような取り付けパネル２０の振動による影響を効果的に抑制することができる。上記のようにコンプライアンス部１Ａの変形に伴う振動の共振周波数は、振動する部分の有効質量と、高コンプライアンス部１Ａのコンプライアンスと、により定まる。
【００２２】
本実施形態において、この共振周波数を、磁気回路２が受ける振動板６の振動の反作用がフレーム１を伝播することによって振動板６以外の部分、例えば、取り付けパネル２０、フレーム１、あるいはパネル２０を収容するドアの構成部材が振動する振動のうち、５０Ｈｚから３０００Ｈｚの間で最も大きな振動加速度を呈する周波数に設定することができる。
【００２３】
本実施形態において、上記共振周波数を、磁気回路２が受ける振動板６の振動の反作用がフレーム１を伝播することによって振動板６以外の部分、例えば、取り付けパネル２０、フレーム１、あるいはパネル２０を収容するドアの構成部材が振動する振動のうち、５０Ｈｚから３０００Ｈｚの間で最も大きな振動加速度を呈する周波数を中心とする上下１オクターブの範囲内に設定することもできる。
【００２４】
本実施形態において、上記共振周波数を、取り付けパネルに取り付けられたスピーカユニット１０の振動板６から放射された音圧によって振動板６以外の部分、例えば、取り付けパネル２０、フレーム１、あるいはパネル２０を収容するドアの構成部材が振動する振動のうち、５０Ｈｚから３０００Ｈｚの間で最も大きな振動加速度を呈する周波数に設定することもできる。
【００２５】
本実施形態において、上記共振周波数を、取り付けパネルに取り付けられたスピーカユニット１０の振動板６から放射された音圧によって振動板６以外の部分、例えば、取り付けパネル２０、フレーム１、あるいはパネル２０を収容するドアの構成部材が振動する振動のうち、５０Ｈｚから３０００Ｈｚの間で最も大きな振動加速度を呈する周波数を中心とする上下１オクターブの範囲内に設定することもできる。
【００２６】
本実施形態において、上記共振周波数を、磁気回路２が受ける振動板６の振動の反作用がフレーム１を伝播することによって振動板６以外の部分、例えば、取り付けパネル２０、フレーム１、あるいはパネル２０を収容するドアの構成部材が振動する振動のうち、５０Ｈｚから３０００Ｈｚの間で音質上減衰させるべき周波数に設定することもできる。
【００２７】
本実施形態において、上記共振周波数を、磁気回路２が受ける振動板６の振動の反作用がフレーム１を伝播することによって振動板６以外の部分、例えば、取り付けパネル２０、フレーム１、あるいはパネル２０を収容するドアの構成部材が振動する振動のうち、５０Ｈｚから３０００Ｈｚの間で音質上減衰させるべき周波数を中心とする上下１オクターブの範囲内に設定することもできる。
【００２８】
本実施形態において、上記共振周波数を、取り付けパネルに取り付けられたスピーカユニット１０の振動板６から放射された音圧によって振動板６以外の部分、例えば、取り付けパネル２０、フレーム１、あるいはパネル２０を収容するドアの構成部材が振動する振動のうち、５０Ｈｚから３０００Ｈｚの間で音質上減衰させるべき周波数に設定することもできる。
【００２９】
本実施形態において、上記共振周波数を、取り付けパネルに取り付けられたスピーカユニット１０の振動板６から放射された音圧によって振動板６以外の部分、例えば、取り付けパネル２０、フレーム１、あるいはパネル２０を収容するドアの構成部材が振動する振動のうち、５０Ｈｚから３０００Ｈｚの間で音質上減衰させるべき周波数を中心とする上下１オクターブの範囲内に設定することもできる。
【００３０】
このように、本実施形態では、所望の周波数の振動を抑制するため、その周波数に合致した共振周波数が得られるように高コンプライアンス部１Ａをフレーム１に形成している。このため、その周波数の振動の伝播を効果的に遮断することができ、これにより音響特性を効果的に向上させることができる。
【００３１】
高コンプライアンス部１Ａの変形に伴う振動を速やかに減衰させるため、損失正接（Ｔａｎδ）の値がフレーム１の損失正接の値よりも大きい材料で高コンプライアンス部１Ａをダンピング（制動）してもよい。高コンプライアンス部１Ａに損失正接の値が大きな材料を塗布、充填し、あるいは貼り付けることで高コンプライアンス部１Ａをダンピングすることができる。
【００３２】
なお、スピーカ装置１００は車両内で実際に再生した場合の特性が問題となるため、車両にドアを実装した状態での取り付けパネル２０の振動加速度レベルに基づいて、上記共振周波数を設定することが好ましい。
【００３３】
以上のように、本実施形態では、フレーム１の所定部位にはフレーム１の他の部分よりもコンプライアンスの大きな高コンプライアンス部１Ａが設けられ、高コンプライアンス部１Ａの変形に伴って振動する部分の有効質量と、高コンプライアンス部１Ａのコンプライアンスと、により定まる共振周波数が、スピーカユニット１０が取り付けパネル２０に取り付けられた状態で振動板６の振動の反作用がフレーム１を伝播することによって振動板６以外の部分が振動する振動のうち、５０Ｈｚから３０００Ｈｚの間で所望の周波数に設定されている。このため、振動加速度の大きな周波数領域や音質改善に必要な周波数領域について、高コンプライアンス部１Ａによって振動の伝播を効果的に遮断することができる。したがって、良好な音響特性を得ることができる。
【００３４】
また、本実施形態では、フレーム１の所定部位にはフレーム１の他の部分よりもコンプライアンスの大きな高コンプライアンス部１Ａが設けられ、高コンプライアンス部１Ａの変形に伴って振動する部分の有効質量と、高コンプライアンス部１Ａのコンプライアンスと、により定まる共振周波数が、スピーカユニット１０が取り付けパネル２０に取り付けられた状態で振動板６から放射された音圧によって振動板６以外の部分が振動する振動のうち、５０Ｈｚから３０００Ｈｚの間で所望の周波数に設定されている。このため、振動加速度の大きな周波数領域や音質改善に必要な周波数領域について、高コンプライアンス部１Ａによって振動の伝播を効果的に遮断することができる。したがって、良好な音響特性を得ることができる。
【００３５】
−第２の実施形態−
以下、図５を参照して、本発明によるスピーカ装置を車載用スピーカ装置に適用した第２の実施形態について説明する。図５は第２の実施形態のスピーカ装置を示す断面図である。図５では、第１の実施形態と同一構成要素には同一符号を付してその説明を省略する。
【００３６】
図５に示すように、第２の実施形態のスピーカ装置２００を構成するダイナミック型スピーカユニット１０Ａは、フレーム１１の外周部を介して取り付けパネル２１に締結されている。フレーム１１は図５において右方に向かって径が小さくなる形状を呈しており、フレーム１１の図５において右端に磁気回路２が取り付けられている。
【００３７】
図５に示すように、取り付けパネル２１には湾曲形状に形成された高コンプライアンス部２１Ａが設けられている。高コンプライアンス部２１Ａはスピーカユニット１０Ａを取り囲むように周状に形成されている。高コンプライアンス部２１Ａは取り付けパネル２１の他の部分と比較してコンプライアンスが大きくされており、変形可能に構成されている。スピーカユニット１０Ａは高コンプライアンス部２１Ａの変形に伴い、図１において左右方向に振動可能とされている。この振動の共振周波数は、高コンプライアンス部２１Ａの変形に伴って振動する部分、すなわちスピーカユニット１０Ａの全体および取り付けパネル２１の一部の有効質量と、高コンプライアンス部２１Ａのコンプライアンスと、により定まる。本実施形態では、この共振周波数を適切に設定することにより、スピーカ装置２００の音響特性を向上させている。
【００３８】
取り付けパネル２１は車両のドアを構成する部材であり、とくに音響的な性能を考慮して設計されたものではなく、取り付けパネル２１は比較的振動しやすい。このため本実施形態では、取り付けパネル２１に高コンプライアンス部２１Ａを設けることにより、取り付けパネル２１等の振動を抑制し、スピーカ装置２００全体として良好な音響特性を得るようにしている。
【００３９】
本実施形態では、コンプライアンス部２１Ａを設けることにより、このような取り付けパネル２１の振動による影響を効果的に抑制することができる。
【００４０】
本実施形態において、この共振周波数を、磁気回路２が受ける振動板６の振動の反作用がフレーム１１を伝播することによって振動板６以外の部分、例えば、取り付けパネル２１、フレーム１１、あるいはパネル２１を収容するドアの構成部材が振動する振動のうち、５０Ｈｚから３０００Ｈｚの間で最も大きな振動加速度を呈する周波数に設定することができる。
【００４１】
本実施形態において、上記共振周波数を、磁気回路２が受ける振動板６の振動の反作用がフレーム１１を伝播することによって振動板６以外の部分、例えば、取り付けパネル２１、フレーム１１、あるいはパネル２１を収容するドアの構成部材が振動する振動のうち、５０Ｈｚから３０００Ｈｚの間で最も大きな振動加速度を呈する周波数を中心とする上下１オクターブの範囲内に設定することもできる。
【００４２】
本実施形態において、上記共振周波数を、取り付けパネルに取り付けられたスピーカユニット１０Ａの振動板６から放射された音圧によって振動板６以外の部分、例えば、取り付けパネル２１、フレーム１１、あるいはパネル２１を収容するドアの構成部材が振動する振動のうち、５０Ｈｚから３０００Ｈｚの間で最も大きな振動加速度を呈する周波数に設定することもできる。
【００４３】
本実施形態において、上記共振周波数を、取り付けパネルに取り付けられたスピーカユニット１０Ａの振動板６から放射された音圧によって振動板６以外の部分、例えば、取り付けパネル２１、フレーム１１、あるいはパネル２１を収容するドアの構成部材が振動する振動のうち、５０Ｈｚから３０００Ｈｚの間で最も大きな振動加速度を呈する周波数を中心とする上下１オクターブの範囲内に設定することもできる。
【００４４】
本実施形態において、上記共振周波数を、磁気回路２が受ける振動板６の振動の反作用がフレーム１１を伝播することによって振動板６以外の部分、例えば、取り付けパネル２１、フレーム１１、あるいはパネル２１を収容するドアの構成部材が振動する振動のうち、５０Ｈｚから３０００Ｈｚの間で音質上減衰させるべき周波数に設定することもできる。
【００４５】
本実施形態において、上記共振周波数を、磁気回路２が受ける振動板６の振動の反作用がフレーム１１を伝播することによって振動板６以外の部分、例えば、取り付けパネル２１、フレーム１１、あるいはパネル２１を収容するドアの構成部材が振動する振動のうち、５０Ｈｚから３０００Ｈｚの間で音質上減衰させるべき周波数を中心とする上下１オクターブの範囲内に設定することもできる。
【００４６】
本実施形態において、上記共振周波数を、取り付けパネルに取り付けられたスピーカユニット１０の振動板６から放射された音圧によって振動板６以外の部分、例えば、取り付けパネル２１、フレーム１１、あるいはパネル２１を収容するドアの構成部材が振動する振動のうち、５０Ｈｚから３０００Ｈｚの間で音質上減衰させるべき周波数に設定することもできる。
【００４７】
本実施形態において、上記共振周波数を、取り付けパネルに取り付けられたスピーカユニット１０Ａの振動板６から放射された音圧によって振動板６以外の部分、例えば、取り付けパネル２１、フレーム１１、あるいはパネル２１を収容するドアの構成部材が振動する振動のうち、５０Ｈｚから３０００Ｈｚの間で音質上減衰させるべき周波数を中心とする上下１オクターブの範囲内に設定することもできる。
【００４８】
このように、本実施形態では、所望の周波数の振動を抑制するため、その周波数に合致した共振周波数が得られるように高コンプライアンス部２１Ａを取り付けパネル２１に形成している。このため、その周波数の振動の伝播を効果的に遮断することができ、これにより音響特性を効果的に向上させることができる。
【００４９】
高コンプライアンス部２１Ａの変形に伴う振動を速やかに減衰させるため、高コンプライアンス部２１Ａを、取り付けパネル２１の他の部分よりも大きな損失正接（Ｔａｎδ）の値を有する材料で形成してもよい。また、高コンプライアンス部２１Ａに損失正接の値が大きな材料を塗布、充填し、あるいは貼り付けることで高コンプライアンス部２１Ａをダンピングしてもよい。
【００５０】
なお、スピーカ装置１００は車両内で実際に再生した場合の特性が問題となるため、車両にドアを実装した状態での取り付けパネル２１の振動加速度レベルに基づいて、上記共振周波数を設定することが好ましい。
【００５１】
以上のように、本実施形態では、取り付けパネル２１の所定部位には取り付けパネル２１の他の部分よりもコンプライアンスの大きな高コンプライアンス部２１Ａが設けられ、高コンプライアンス部２１Ａの変形に伴って振動する部分の有効質量と、高コンプライアンス部２１Ａのコンプライアンスと、により定まる共振周波数が、スピーカユニット１０Ａが取り付けパネル２１に取り付けられた状態で振動板６の振動の反作用がフレーム１を伝播することによって振動板６以外の部分が振動する振動のうち、５０Ｈｚから３０００Ｈｚの間で所望の周波数に設定されている。このため、振動加速度の大きな周波数領域や音質改善に必要な周波数領域について、高コンプライアンス部２１Ａによって振動の伝播を効果的に遮断することができる。したがって、良好な音響特性を得ることができる。
【００５２】
また、本実施形態では、取り付けパネル２１の所定部位には取り付けパネル２１の他の部分よりもコンプライアンスの大きな高コンプライアンス部２１Ａが設けられ、高コンプライアンス部２１Ａの変形に伴って振動する部分の有効質量と、高コンプライアンス部２１Ａのコンプライアンスと、により定まる共振周波数が、スピーカユニット１０Ａが取り付けパネル２１に取り付けられた状態で振動板６から放射された音圧によって振動板６以外の部分が振動する振動のうち、５０Ｈｚから３０００Ｈｚの間で所望の周波数に設定されている。このため、振動加速度の大きな周波数領域や音質改善に必要な周波数領域について、高コンプライアンス部２１Ａによって振動の伝播を効果的に遮断することができる。したがって、良好な音響特性を得ることができる。
【００５３】
上記実施形態および特許請求の範囲の記載において、振動板６が「振動系」に対応する。
【図面の簡単な説明】
【図１】第１の実施形態のスピーカ装置を示す断面図。
【図２】取り付けパネルを示す図。
【図３】図２に示すＡ点における取り付けパネル表面の振動加速度レベルを示す図。
【図４】図２に示すＢ点における取り付けパネル表面の振動加速度レベルを示す図。
【図５】第２の実施形態のスピーカ装置を示す断面図。
【符号の説明】
１      フレーム
１Ａ    高コンプライアンス部
６      振動板（振動系）
１０    スピーカユニット
１０Ａ  スピーカユニット
１１    フレーム
２０    取り付けパネル
２１    取り付けパネル
２１Ａ  高コンプライアンス部
【図１】
2004165819.tif 000003
【図２】
2004165819.tif 000004
【図３】
2004165819.tif 000005
【図４】
2004165819.tif 000006
【図５】
2004165819.tif 000007